(57)【特許請求の範囲】
【請求項１】
冷水を注出する冷水注出機構（８）と温水を注出する温水注出機構（９）のそれぞれに、各注出機構（８、９）の流路内に設けた弁体（４２）の開弁を阻止するロック位置と前記弁体（４２）の開弁を許容するロック解除位置との間で外部操作により移動可能に設けられたロック部材（４６）と、前記ロック部材（４６）を前記ロック解除位置に保持する位置とその保持を解除する位置との間で外部操作により移動可能に設けられたキー部材（５０）と、を設けたウォーターサーバー。
【請求項２】
前記ロック部材（４６）及び前記キー部材（５０）を、前記冷水注出機構（８）及び前記温水注出機構（９）のそれぞれについて個別に操作し得るようにした請求項１に記載のウォーターサーバー。
【請求項３】
前記弁体（４２）と連動する軸部（５３）に括れ部（５４）を形成し、前記ロック部材（４６）に前記軸部（５３）を挿通する貫通孔（５５）を形成し、前記ロック部材（４６）に設けた付勢部材（４７）の付勢力によって、前記括れ部（５４）を前記貫通孔（５５）の辺縁に係止して前記弁体（４２）の開弁を阻止する一方で、前記ロック部材（４６）を前記付勢部材（４７）の付勢力に抗して押し込むことにより、前記括れ部（５４）を前記辺縁から外してロックが解除された状態とするとともに、前記キー部材（５０）を前記ロック部材（４６）又はこのロック部材（４６）と連動する部材に前記付勢部材（４７）の付勢力の方向とは逆向きの方向から当接させて、その状態を保持するようにした請求項１又は２に記載のウォーターサーバー。
【請求項４】
前記ロック部材（４６）に、このロック部材（４６）と連動するロック解除ボタン（４９）を設け、このロック解除ボタン（４９）に鍔部（５９）を形成し、前記キー部材（５０）の係合端部（５７）を前記鍔部（５９）に係合させて、ロックが解除された状態を保持するようにした請求項３に記載のウォーターサーバー。
【発明の詳細な説明】
【技術分野】
【０００１】
この発明は、飲料水の注出操作を阻止するロック機構を備えたウォーターサーバーに関する。
【背景技術】
【０００２】
ウォーターサーバーは、交換式の原水容器に充填したミネラル水等の飲料水を冷却装置で冷却し、又は、ヒータで加熱して供給するものである。このウォーターサーバーは、水の安全性や健康志向への高まりを受けて、病院や一般家庭等、多くの場所で使用されるようになってきている。
【０００３】
このウォーターサーバーを一般家庭や幼稚園等のように小さい子供が手を触れる場所に設置する場合、子供が不用意に温水レバーに触れて温水を注出することがないように、例えば特許文献１に示すように、温水側にロック機構を設けるのが一般的である。この特許文献１に示す構成では、温水レバーを手前に引き出した後に、この温水レバーを下げる、という２段階の操作により温水を注出するようになっており（同文献の図８、図９及び段落００７２、００７３を参照）、単に温水レバーを下げるだけでは、温水側開閉弁が開弁しないようになっている（同文献の図７及び段落００７１を参照）。このように、操作を多段階にする等して温水の注出操作を複雑にすることにより、子供による不用意な温水の注出を防止することができる。
【先行技術文献】
【特許文献】
【０００４】
【特許文献１】特開２０１０−２４７８３８号公報
【発明の概要】
【発明が解決しようとする課題】
【０００５】
特許文献１に示すウォーターサーバーにおいては、温水の誤注出は回避できるものの、小さい子供がいない家庭のように温水のロック機構が不要な場合には、温水の注出操作が煩雑に感じることが多い。その一方で、小さな子供のいる家庭では、その子供が冷水レバーに触れて床を水浸しにしてしまうことも考えられ、そのような場合には、温水レバーだけでなく冷水レバーにもロック機構が必要となることもある。
【０００６】
そこで、この発明は、使用者の使用態様に合わせて、温水及び冷水のロック機構を自在に設定又は解除し得るようにすることを課題とする。
【課題を解決するための手段】
【０００７】
上記の課題を解決するため、この発明は、冷水を注出する冷水注出機構と温水を注出する温水注出機構のそれぞれに、各注出機構の流路内に設けた弁体の開弁を阻止するロック位置と前記弁体の開弁を許容するロック解除位置との間で外部操作により移動可能に設けられたロック部材と、前記ロック部材を前記ロック解除位置に保持する位置とその保持を解除する位置との間で外部操作により移動可能に設けられたキー部材と、を設けてウォーターサーバーを構成した。
【０００８】
このように、冷水注出機構と温水注出機構のそれぞれにロック部材を設けることにより、小さい子供がいる家庭等において安心かつ安全にこのウォーターサーバーを使用することができる。その一方において、小さい子供がおらず、ロック機構を煩雑に感じる使用者は、キー部材を操作することによって、ロック部材によるロック機構を解除することができ、注出レバーの操作等の簡単な操作で注出を行うことができる。このように、ロック部材とキー部材を併設することにより、使用者の使い勝手に合わせてこのウォーターサーバーのロック機構の最適化を図ることができ、全ての使用者による高い満足度が得られる。
【０００９】
前記構成においては、前記ロック部材及び前記キー部材を、前記冷水注出機構及び前記温水注出機構のそれぞれについて個別に操作し得るようにするのが好ましい。
【００１０】
例えば、小さい子供がいない家庭では、使用時の利便性を考慮して冷水及び温水のいずれもロック機構は不要と考える場合がある。その一方で、小さい子供がいる家庭では、冷水及び温水の両方にロック機構が必要と考える場合と、温水のみロック機構が必要で冷水にはロック機構が不要と考える場合がある。そこで、ロック機構及びキー部材を両注出機構について個別に操作し得るようにすることにより、このウォーターサーバーを使用者の多様なニーズに適合したものとすることができる。
【００１１】
前記各構成においては、前記弁体と連動する軸部に括れ部を形成し、前記ロック部材に前記軸部を挿通する貫通孔を形成し、前記ロック部材に設けた付勢部材の付勢力によって、前記括れ部を前記貫通孔の辺縁に係止して前記弁体の開弁を阻止する一方で、前記ロック部材を前記付勢部材の付勢力に抗して押し込むことにより、前記括れ部を前記辺縁から外してロックが解除された状態とするとともに、前記キー部材を前記ロック部材又はこのロック部材と連動する部材に前記付勢部材の付勢力の方向とは逆向きの方向から当接させて、その状態を保持するようにするのが好ましい。
【００１２】
このようにロック機構及びロック解除機構を構成すれば、付勢部材の付勢力によって確実にロック機能が発揮される。その一方で、その付勢力に抗するキー部材をロック部材等に当接させることにより、その付勢力によってキー部材にがたつきが生じることがなく、確実にロック解除機能が発揮される。
【００１３】
また、この構成においては、前記ロック部材に、このロック部材と連動するロック解除ボタンを設け、このロック解除ボタンに鍔部を形成し、前記キー部材の係合端部を前記鍔部に係合させて、ロックが解除された状態を保持するのが好ましい。
【００１４】
このロック解除ボタンは、ロック解除操作の際に使用者が指先で押し込むボタンである。その操作を確実に行い得るようにするため、その大きさは少なくとも使用者の指先の大きさ以上（例えば１ｃｍ以上）とすることが多い。このように、ある程度の大きさ（ロック機能を発揮するのに十分な大きさ）を有するロック解除ボタンに形成した鍔部と、キー部材に形成した係合端部とを係合させる構成とすることにより、両者の間の十分な係合面積を確保することができ、キー部材によるロック機能を確実なものとすることができる。
【発明の効果】
【００１５】
この発明は、冷水注出機構及び温水注出機構のそれぞれにロック部材とキー部材を併設することにより、使用者の家族構成等を考慮した具体的使用態様に合わせて、冷水及び温水の両方についてロック機構を設定又は解除したり、冷水又は温水の一方のみロック機構を設定し、他方はロック機構を解除するようにしたりすることができる。このように設定し得るようにすることにより、全ての使用者による高い満足度が得られる。
【図面の簡単な説明】
【００１６】
【図１】本願発明に係るウォーターサーバーの実施形態を示す縦断面図
【図２】冷水注出時の飲料水の流れを示す縦断面図
【図３】温水注出時の飲料水の流れを示す縦断面図
【図４】温水による殺菌時における飲料水の流れを示す縦断面図
【図５】本願発明に係るウォーターサーバーの冷水注出機構のロック状態を示す図であって、（ａ）は横断面図、（ｂ）は同図（ａ）中のｂ−ｂ線に沿う断面図、（ｃ）は同図（ａ）中のｃ−ｃ線に沿う断面図
【図６】本願発明に係るウォーターサーバーの冷水注出機構のロック解除状態（非保持状態）を示す横断面図
【図７】本願発明に係るウォーターサーバーの冷水注出機構のロック解除状態（保持状態）を示す図であって、（ａ）は横断面図、（ｂ）は同図（ａ）中のｂ−ｂ線に沿う断面図、（ｃ）は同図（ａ）中のｃ−ｃ線に沿う断面図
【図８】本願発明に係るウォーターサーバーの冷水注出機構の要部を示す斜視図
【図９】本願発明に係るウォーターサーバーの冷水及び温水注出機構を示す斜視図
【発明を実施するための形態】
【００１７】
本願発明に係るウォーターサーバーの実施形態を図１に示す。このウォーターサーバーは、筐体１と、この筐体１に収納され、冷却された飲料水を貯めておく冷水タンク２と、加熱された飲料水を貯めておく温水タンク３と、冷水タンク２の側方に配置され、空気と飲料水を上下２層に収容するバッファタンク４と、冷水タンク２よりも下方に配置され、交換式の原水容器５を横向きにした状態で収納するボトルバスケット６と、このボトルバスケット６を載置する載置台７と、冷水注出機構８と、温水注出機構９と、空気殺菌チャンバ１０と、を有する。
【００１８】
冷水タンク２は、通気管１１及びバッファタンク給水管１２を介してバッファタンク４と、空気導入路１３を介して空気殺菌チャンバ１０と、原水汲出し管１４を介して原水容器５と、冷水注出管１５を介して冷水注出機構８と、それぞれ連通している。原水汲出し管１４には第１の三方弁１６と第２の三方弁１７が設けられている。各三方弁１６、１７は、後述する図２及び図３で示すように、第１の殺菌用配管１８及び第２の殺菌用配管１９への流路を遮断して、原水容器５内の飲料水を原水汲出し管１４から冷水タンク２へ移送し、冷水及び温水の注出を可能とする通常流路と、後述する図４で示すように、原水容器５から原水汲出し管１４への流路、及び、原水汲出し管１４から冷水タンク２への流路を遮断して、原水汲出し管１４−第１の殺菌用配管１８−バッファタンク４−温水タンク給水管２０−温水タンク３−第２の殺菌用配管１９−原水汲出し管１４、の閉ループからなる殺菌流路と、を切り替えることができるように構成されている。ここで、各三方弁１６、１７は電磁弁であって、通電することにより殺菌流路とし、通電を解除することで通常流路とすることができる。図１等においては、第１の三方弁１６と、第２の三方弁１７を、それぞれ単一の弁で構成した例を示しているが、複数の二方弁を用いてこれと同様の機能を奏するように構成することもできる。
【００１９】
この冷水タンク２内の上部には、案内板２１が設けられている。この案内板２１には、原水汲出し管１４から供給される飲料水の流れを水平方向の流れに変えるスロープが形成されている。この案内板２１を設けることにより、この冷水タンク２に供給された飲料水が冷水タンク２全体に拡散するのを防止でき、冷水タンク２下部の冷水の低温状態を保つことができる。この冷水タンク２内には、貯められた飲料水の水位を検知する水位センサ２２が設けられている。この水位センサ２２で検知した水位が所定値以下に下がると、原水汲出し管１４に設けたポンプ２３が作動して、原水容器５から冷水タンク２への飲料水の移送が行われる。この冷水タンク２の容量は、一般的に２〜４リットル程度である。
【００２０】
このポンプ２３として、例えば、ダイヤフラムの往復動によってポンプ室の容積を増減させ、この増減に伴って飲料水を吸入・吐出するダイヤフラムポンプや、一対のギヤの歯溝とポンプのケーシングの内面との間に閉じ込められた飲料水を、ギヤの回転によって移送するギヤポンプを採用することができる。このポンプ２３の吐出口側には、流量センサ２４が設けられている。この流量センサ２４で原水容器５の原水が無くなったことを検知すると、図示しない容器交換ランプによって、使用者にそのことが通知される。この冷水タンク２の下部外周には、冷却装置２５が設けられている。この冷却装置２５で、冷水タンク２内の飲料水が５℃程度に冷却される。
【００２１】
バッファタンク４は、通気管１１及びバッファタンク給水管１２を介して冷水タンク２と、第１の殺菌用配管１８を介して第１の三方弁１６と、温水タンク給水管２０を介して温水タンク３と、それぞれ連通している。バッファタンク給水管１２のバッファタンク４側の端部にはフロートバルブ２６が設けられ、冷水タンク２から移送された飲料水の水位が所定値以上となると、このフロートバルブ２６によって前記端部が塞がれ、このバッファタンク４内の飲料水が冷水タンク２側に逆流しないようになっている。このように、フロートバルブ２６を設けることにより、温水が温水タンク給水管２０を通って温水タンク３からバッファタンク４に逆流してきた場合に、この温水がさらにバッファタンク給水管１２を通って冷水タンク２に逆流するのを防止できる。また、後述する温水循環による殺菌時に、バッファタンク４内の温水が冷水タンク２に逆流するのも防止できる。このため、冷水タンク２中の冷水の温度が上昇したり、この温度上昇に伴って冷水タンク内に雑菌が発生したりするのを防止することができる。バッファタンク４の下部は、下方ほど縮径した円錐状となっている。このため、後述する温水循環による殺菌時に、バッファタンク４下部の隅に飲料水が滞留するのを防止することができる。このバッファタンク４の容量は、一般的に０．２〜０．５リットル程度である。
【００２２】
温水タンク３は、温水タンク給水管２０を介してバッファタンク４と、第２の殺菌用配管１９を介して第２の三方弁１７と、温水注出管２７を介して温水注出機構９と、それぞれ連通し、さらに温水タンク３内の残水を排出するドレン管２８に接続されている。残水の排出作業時以外は、ドレン管２８の出口にはプラグ２９が設けられている。この温水タンク３内には、ヒータ３０が設けられ、このヒータ３０で飲料水が加熱される。加熱された飲料水の温度は、温水タンク３の壁面に設けられた温度センサ３１によって検知される。この温水タンク３は、冷水タンク２及びバッファタンク４と異なり、全体が飲料水で満たされた密閉構造となっている。そして、この温水タンク３よりも上に設けられたバッファタンク４内の飲料水の重さによって温水タンク３内が加圧され、その加圧によって温水注出機構９から温水の注出がなされる。この温水タンク３の容量は、一般的に１〜２リットル程度である。この例では、ヒータ３０としてシースヒータを用いたが、温水タンク３の外周に、バンドヒータを巻き付けた構成とすることもできる。
【００２３】
ボトルバスケット６に収納した原水容器５には水出口３２が設けられており、この水出口３２に、原水汲出し管１４のジョイント部３３が横向きに挿し込まれている。このジョイント部３３は中空筒状の部材であって、飲料水を自由に通し得るようになっており、飲料水を移送するポンプ２３よりも高い位置に設けられている。このジョイント部３３の近傍にはガイド部材３４が設けられている。このガイド部材３４により、ジョイント部３３に水出口３２を挿し込む際に、両者の軸心が同軸となるように原水容器５が案内される。このボトルバスケット６を載置する載置台７下側及び筐体１の底板上にはローラ３５が設けられている。これらのローラ３５が回転することにより、原水容器５を収納したボトルバスケット６を容易に筐体１内にセットし、又は筐体１内から取り出すことができる。このボトルバスケット６には把手３６が設けられていて、この把手３６を握ってボトルバスケット６を容易に載置台７に載置できるようにしている。この実施形態で用いられる原水容器５は、薄手のポリエチレンテレフタレート（ＰＥＴ）樹脂やポリエチレン（ＰＥ）樹脂からなるソフトタイプのものである。この種の原水容器５は比較的柔軟性に富んでおり、飲料水の移送とともに撓んでその内容積が減少する。原水容器５には、一般的に、新品時において１０〜１２リットルの飲料水が充填されている。
【００２４】
この例では、原水容器５にソフトタイプのものを採用したが、飲料水を移送してもその容積が変わらないハードタイプのものや、可撓性が高い樹脂フィルム製の袋を段ボール箱等の箱体に収容したバッグインボックスタイプのものも採用することができる。
【００２５】
空気殺菌チャンバ１０は、空気取り入れ口３７及びオゾン出口３８を形成した中空のケース３９と、そのケース３９内に空気中の酸素をオゾンに変えるオゾン発生体４０とを有している。このオゾン出口３８は、空気導入路１３を介して冷水タンク２と連通している。発生したオゾンを冷水タンク２及びバッファタンク４の気相部分に送り込んで、これらの殺菌を行うことにより、この冷水タンク２及びバッファタンク４内の衛生度を高めている。オゾン発生体４０として、低圧水銀灯や無声放電装置等を使用することができる。
【００２６】
冷水の注出時は、両三方弁１６、１７への通電を解除して、図２に示すように、第１の三方弁１６について、原水汲出し管１４から冷水タンク２に向かう流路を確保するとともに、第２の三方弁１７について、原水容器５から原水汲出し管１４に向かう流路を確保する。これにより、冷水の注出が可能な通常流路が構成される。ここで、冷水注出機構８を操作すると、この冷水注出機構８から冷水が注出される。この冷水の注出に伴って冷水タンク２内の水位低下が水位センサ２２によって検知されると、ポンプ２３が作動して、原水容器５から冷水タンク２への飲料水の移送が行われる。この移送によって、冷水タンク２内の水位が回復する。
【００２７】
温水の注出時は、両三方弁１６、１７への通電を解除して、図３に示すように、第１の三方弁１６について、原水汲出し管１４から冷水タンク２に向かう流路を確保するとともに、第２の三方弁１７について、原水容器５から原水汲出し管１４に向かう流路を確保する。これにより、温水の注出が可能な通常流路が構成される。ここで、温水注出機構９を操作すると、この温水注出機構９から温水が注出される。この温水の注出に伴って温水タンク３内の温水が減少すると、その減少分だけ、バッファタンク４から温水タンク給水管２０を通って飲料水が即座に補給される。すると、このバッファタンク４内の水位が低下し、この低下に伴ってバッファタンク給水管１２に設けたフロートバルブ２６が開放し、冷水タンク２からこのバッファタンク給水管１２を通って、フロートバルブ２６が閉じる水位となるまでバッファタンク４に飲料水が補給される。この補給に伴って冷水タンク２内の水位低下が水位センサ２２によって検知されると、ポンプ２３が作動して、原水容器５から冷水タンク２への飲料水の移送が行われる。この移送によって、冷水タンク２内の水位が回復する。
【００２８】
温水循環による殺菌時は、両三方弁１６、１７に通電して、図４に示すように、第１の三方弁１６について、原水汲出し管１４からバッファタンク４に向かう流路を確保するとともに、第２の三方弁１７について、温水タンク３から原水汲出し管１４に向かう流路を確保する。これにより、原水汲出し管１４−第１の殺菌用配管１８−バッファタンク４−温水タンク給水管２０−温水タンク３−第２の殺菌用配管１９−原水汲出し管１４、の閉ループからなる殺菌流路が構成される。ここで、ポンプ２３で殺菌流路内の温水を循環させることにより、この殺菌流路内の殺菌を行うことができる。この温水が殺菌に有効な所定以上の温度(例えば８５℃)を保つように、適宜ヒータ３０を作動させる。この殺菌時にポンプ２３を適宜停止することも許容される。この殺菌流路内に所定温度以上の温水が滞留しさえすれば、十分な殺菌作用が発揮されるためである。
【００２９】
上記のように構成した殺菌流路は、冷水タンク２を経由しない。このため、冷水タンク２内の冷水が温められることがなく、温水循環による殺菌時においても、使用者に低温の冷水を提供することができる。
【００３０】
このウォーターサーバーの冷水注出機構８を図５から図８に示す。なお、図８では、図面が煩雑になるのを防止するため、冷水注出機構８に係る部品の一部を省略して表示している。この冷水注出機構８は、冷水注出管１５に接続されたフォーセット本体４１と、このフォーセット本体４１内に形成された冷水流路内に設けられた弾性材からなる弁体４２と、この弁体４２を開閉するフォーセットステム４３と、このフォーセットステム４３を閉弁方向に付勢するフォーセットばね４４と、フォーセットステム４３をフォーセットばね４４の付勢力に抗して開弁方向に変位させるフォーセットレバー４５と、フォーセットステム４３の開弁方向への変位を規制するロック部材４６と、このロック部材４６をロック位置方向に付勢する付勢部材であるロックばね４７と、ロック部材４６をロックばね４７の付勢力に抗してロック解除方向に押し込むフォーセットボタン４８と、このフォーセットボタン４８に被せるように設けられるロック解除ボタン４９と、このロック解除ボタン４９に係合して、ロック解除状態を保持するキー部材５０と、を有する。
【００３１】
この冷水注出機構８のロック状態（図５を参照）においては、フォーセットばね４４の付勢力により、フォーセット本体４１の流路内に形成された弁座５１に弁体４２が当接し、冷水出口５２ａから冷水が流出するのが阻止される。フォーセットステム４３の軸部５３には、この軸部５３の径よりも小径の括れ部５４が形成されている。ロック部材４６には、このフォーセットステム４３の軸部５３を挿通する貫通孔５５が形成されている。この貫通孔５５は、軸部５３の径よりも大径の主孔５５ａと、軸部５３の径よりも小径であって主孔５５ａと連通する副孔５５ｂとから構成される。ロック状態においては、括れ部５４が副孔５５ｂの辺縁に係止されていて、軸部５３をその軸方向に動かすことができない、すなわち、この軸部５３と連動する弁体４２を開弁することができないようになっている。このように主孔５５ａよりも小径の副孔５５ｂに括れ部５４を係止させるようにすれば、この副孔５５ｂによる括れ部５４の係止面積が大きくなる。このため、この括れ部５４がしっかりと係止されて、確実なロック機能を発揮することができる。この係止が確実になされるのであれば副孔５５ｂは必須の構成ではなく、主孔５５ａの辺縁に括れ部５４を係止する構成とすることもできる。また、ロック部材４６に貫通孔５５を形成せずに、このロック部材４６の辺縁に括れ部５４を係止する構成とすることも考えられる。
【００３２】
このロック状態において、ロック部材４６及びフォーセットボタン４８と連動するロック解除ボタン４９をロックばね４７の付勢力に抗して押し込むことにより、括れ部５４が副孔５５ｂ内から主孔５５ａ内に相対移動して、軸部５３がその軸方向に動き得るロック解除状態となる（図６を参照）。このロック解除状態で、フォーセットレバー４５の下端側を奥方向に押し込むと、このフォーセットレバー４５の上端側を支点とする梃子の原理によって、この上端側に固定されたフォーセットステム４３がフォーセットばね４４の付勢力に抗して引き上げられる。すると、フォーセットステム４３の下端に設けた弁体４２が弾性変形し、この弁体４２の下部と弁座５１との間に流路が形成され、この流路を通って冷水が注出される。
【００３３】
キー部材５０は、基部５６の上下端付近から水平に２本の係合端部５７ａ、５７ｂが突出したコの字形をした部材である。この基部５６の下端には、このキー部材５０をスライドさせるときにつまむスライドつまみ５８が形成されている。図６で示したロック解除状態を保持するためには、ロック解除ボタン４９を押しこんだ状態で、スライドつまみ５８をつまんでキー部材５０をスライドさせる。そして、ロック部材４６と連動するロック解除ボタン４９に形成した鍔部５９に、キー部材５０の係合端部５７ａ、５７ｂをロックばね４７の付勢力の方向とは逆向きの方向から当接させる（図７を参照）。これにより、ロック部材４６が再びロック位置に戻るのが阻止される。このように、キー部材５０でロック解除状態を保持することにより、使用の度にロック解除ボタン４９を押してロック解除操作を行うことなく、フォーセットレバー４５の操作のみで、冷水出口５２ａから冷水を注出することができる。このため、小さい子供がいない家庭等のようにロック機構を必要としない使用者にとっての利便性が大幅に高まる。
【００３４】
このスライドつまみ５８は、図５（ｂ）等に示すように、ウォーターサーバーの前面の化粧カバー６０に形成した長孔から、操作のために必要最小限の長さ（数ミリ〜１０数ミリメートル程度）だけ下向きに突出している。突出量をこの程度に抑えることにより、小さい子供がこのスライドつまみ５８を勝手に操作したり、注出操作の際に不用意にこのスライドつまみ５８に接触したりして、ロック状態が変更されるトラブルを防止することができる。
【００３５】
上記においては、冷水注出機構８について説明したが、温水注出機構９についても、全く同様のロック部材４６及びキー部材５０によるロック解除機構を設け、温水出口５２ｂからの注出を規制することができる。このロック解除機構を冷水注出機構８と温水注出機構９のそれぞれについて個別に設けることにより、冷水及び温水注出機構８、９の両方のロック機能を作動させる（図９（ａ）を参照）、冷水及び温水注出機構８、９のいずれのロック機能も解除しておく（図９（ｂ）を参照）、冷水又は温水注出機構８、９のいずれか一方のロック機能を作動させる（温水側をロック状態とした図９（ｃ）を参照）、のいずれかを選択することができる。このため、このウォーターサーバーを全ての使用者にとって使い勝手が良く、かつ安全なものとすることができる。
【００３６】
上記の実施形態においては、ロック解除ボタン４９に形成した鍔部５９に、キー部材５０の係合端部５７ａ、５７ｂが当接してロック解除状態が保持される構成としたが、このロック解除ボタン４９と連動するフォーセットボタン４８又はロック部材４６に、このキー部材５０が直接当接する構成とすることもできる。また、キー部材５０の形状はコの字形に限定されず、ロック解除状態の保持機能が発揮される限りにおいて適宜その形状を変更することができる。
【００３７】
また、上記の実施形態においては、冷水タンク２、温水タンク３、及びバッファタンク４の３タンクを備えたウォーターサーバーを例に挙げて説明したが、本願発明に係るロック解除機構は、例えば冷水タンク２と温水タンク３を備え、バッファタンク４を有しない２タンク式のウォーターサーバー等、他の形式のウォーターサーバーにも広く適用することができる。
【００３８】
また、上記の実施形態においては、ウォーターサーバーの下部に原水容器５を横置きにした構成を例に挙げて説明したが、この原水容器５の置き方はこれに限定されず、ウォーターサーバーの上部に原水容器５を設置したり、この原水容器５を縦置きとしたりする場合でも、本願発明に係るロック解除機構を広く適用することができる。
【符号の説明】
【００３９】
１  筐体
２  冷水タンク
３  温水タンク
４  バッファタンク
５  原水容器
６  ボトルバスケット
７  載置台
８  冷水注出機構
９  温水注出機構
１０  空気殺菌チャンバ
１１  通気管
１２  バッファタンク給水管
１３  空気導入路
１４  原水汲出し管
１５  冷水注出管
１６  第１の三方弁
１７  第２の三方弁
１８  第１の殺菌用配管
１９  第２の殺菌用配管
２０  温水タンク給水管
２１  案内板
２２  水位センサ
２３  ポンプ
２４  流量センサ
２５  冷却装置
２６  フロートバルブ
２７  温水注出管
２８  ドレン管
２９  プラグ
３０  ヒータ
３１  温度センサ
３２  水出口
３３  ジョイント部
３４  ガイド部材
３５  ローラ
３６  把手
３７  空気取り入れ口
３８  オゾン出口
３９  ケース
４０  オゾン発生体
４１  フォーセット本体
４２  弁体
４３  フォーセットステム
４４  フォーセットばね
４５  フォーセットレバー
４６  ロック部材
４７  ロックばね（付勢部材）
４８  フォーセットボタン
４９  ロック解除ボタン
５０  キー部材
５１  弁座
５２ａ  冷水出口
５２ｂ  温水出口
５３  軸部
５４  括れ部
５５  貫通孔
５５ａ  主孔
５５ｂ  副孔
５６  基部
５７（５７ａ、５７ｂ）  係合端部
５８  スライドつまみ
５９  鍔部
６０  化粧カバー
【要約】      （修正有）【課題】使用者の使用態様に合わせて、温水及び冷水のロック機構を自在に設定又は解除し得るようにすること。【解決手段】冷水注出機構と温水注出機構のそれぞれに、冷水及び温水注出管中に設けた弁体４２の開弁を阻止するロック部材４６を設けるとともに、このロック状態を解除した状態のまま保持するキー部材５０を設ける。このキー部材５０は、ロック解除状態において、ロック部材４６のロック状態を解除するために押し込んだロック解除ボタン４９に当接して、そのロック解除状態を保持する。このロック部材４６及びキー部材５０を両注出機構に設けることにより、両注出機構の両方をロック状態又はロック解除状態とし、又は一方のみをロック解除状態とすることができ、小さい子供がいる等の使用者の使用状況に合わせて、温水及び冷水のロック機構を自在に設定又は解除することができる。【選択図】図５【図１】
0005529309.tif 000002
【図２】
0005529309.tif 000003
【図３】
0005529309.tif 000004
【図４】
0005529309.tif 000005
【図５】
0005529309.tif 000006
【図６】
0005529309.tif 000007
【図７】
0005529309.tif 000008
【図８】
0005529309.tif 000009
【図９】
0005529309.tif 000010